(57)【要約】【課題】大量のパチンコ玉の搬送に使用でき、垂直方向でも水平方向でも斜め傾斜方向でも自在にパチンコ玉の搬送が可能で、かつ、ホースコンベヤとしても適用できるパチンコ玉誘導用ホースを提供すること。【解決手段】パチンコ玉を第１個所から第２個所へ誘導するための誘導用ホースの内周面にめねじを設け、このめねじのピッチがパチンコ玉の直径より大きくなるように形成した。該誘導用ホース内をパチンコ玉が重力によって落下移動するように構成する。また、前記誘導用ホースを円周方向に回転するための駆動機構を備える構成とすれば、前記パチンコ玉を前記誘導用ホースの回転によって強制的移動させることもできる。この誘導用ホースにより、パチンコ玉の大量搬送ができ、全体としての衝撃緩和により島設備部品への障害を少なくする。【選択図】　図３
2004141609.tif 000002
【特許請求の範囲】
【請求項１】
パチンコ玉を第１個所から第２個所へ誘導するためのホースであって、内周面に設けられためねじを備え、このめねじのピッチがパチンコ玉の直径より大きくなるように形成したことを特徴とするパチンコ玉誘導用ホース。
【請求項２】
前記誘導用ホースにおいて、前記めねじは、ねじ山が断面先広がりの形状を有することを特徴とする請求項１に記載のパチンコ玉誘導用ホース。
【請求項３】
前記誘導用ホースは、前記第１個所が前記第２個所の下方に位置するように配置され、かつ、前記誘導用ホースを円周方向に回転するための駆動機構を備え、前記パチンコ玉は前記誘導用ホースの回転によって移動することを特徴とする請求項１又は請求項２に記載のパチンコ玉誘導用ホース。
【請求項４】
前記誘導用ホースは、その外周又は端縁において該誘導用ホースを保持するための保持手段に係合されていることを特徴とする請求項１ないし請求項３のいずれかに記載のパチンコ玉誘導用ホース。
【請求項５】
前記誘導用ホースは、その外周又は端縁において該誘導用ホースを保持するための保持手段との係合により該誘導用ホースの位置規制がなされる位置規制手段を前記誘導用ホースの外周又は端縁に有することを特徴とする請求項１ないし請求項４のいずれかに記載のパチンコ玉誘導用ホース。
【請求項６】
前記誘導用ホースは、パチンコ島の島端に配設されることを特徴とする請求項１ないし請求項５のいずれかに記載のパチンコ玉誘導用ホース。
【請求項７】
前記誘導用ホースは、パチンコ島の島端に向かって下降するように配置されたパチンコ玉排出用の補助傾斜路に沿って配設されることを特徴とする請求項１ないし請求項６のいずれかに記載のパチンコ玉誘導用ホース。
【請求項８】
前記誘導用ホースは、前記第１個所が前記第２個所の上方に位置するように配置され、前記パチンコ玉は重力によって前記第１個所から前記第２個所へ移動することを特徴とする請求項１又は請求項２に記載のパチンコ玉誘導用ホース。
【請求項９】
前記誘導用ホースは、前記第１個所が前記第２個所から水平方向へ離れるように配置され、かつ、前記誘導用ホースを円周方向に回転するための駆動機構を備え、前記パチンコ玉は前記誘導用ホースの回転によって移動することを特徴とする請求項１又は請求項２に記載のパチンコ玉誘導用ホース。
【請求項１０】
隣り合って配置される２つの誘導用ホースと、これら２つの誘導用ホースそれぞれの内周面に設けられためねじと、前記２つの誘導用ホースそれぞれの、少なくとも隣り合って位置する端部の外周面に設けられたおねじと、これらおねじをねじ込み可能なカップリングとを備え、前記めねじのピッチがパチンコ玉の直径より大きくなるように形成したことを特徴とするパチンコ玉誘導用ホースの組合せ。
【請求項１１】
前記誘導用ホースは、硬質樹脂製の心材と、この心材を覆った軟質樹脂製の被覆とからなることを特徴とする請求項１ないし１０のいずれかに記載のパチンコ玉誘導用ホース。
【発明の詳細な説明】
【０００１】
【発明の属する技術分野】
この発明は、パチンコ玉を誘導するためのパチンコ玉誘導用ホース及び誘導用ホースの組合せに関し、さらに詳しくは、複数のパチンコ遊技機からなるパチンコ島内において、又はパチンコ島間においてパチンコ玉を誘導するためのパチンコ玉誘導用ホース及び誘導用ホースの組合せに関する。
【０００２】
【従来の技術】
従来、パチンコ玉を１ケ所に集中させてそれを配送したり、あるいは一台の機械の中でパチンコ玉を移動させたりする移送用ホースとして、軟質樹脂製のパイプ本体の内周面にスパイラル状の硬質樹脂製の線材を配置し、全体を合成樹脂製にすることで、パチンコ玉の移送中の金属音をほとんどなくすとともに、ホースとの接触によってパチンコ玉を傷つけることもなく、ホース全体の柔軟性を十分に保ちながら、その強度と保形性も維持できるようにしたパチンコ玉移送用ホースに係る発明が提案されている（特許文献１参照）。
【０００３】
【特許文献１】特開平９−３８３１３号公報
【０００４】
【発明が解決しようとする課題】
前記発明に係るホースによれば、ホースの内径はパチンコ玉１個の外径よりも僅かに大きい径としたものであるため、パチンコ玉の移送は１個ずつのパチンコ玉がいわゆる数珠繋ぎ状態で移送されるものであるから、ホース１本当たりの移送量には限界があり、大量のパチンコ玉を移送する場合には、多数のホースを必要とし、その配設構造が複雑となるほか、配設スペースも大きな空間を必要とするなどの問題がある。また、スパイラル状の硬質樹脂製の線材は、ピッチがパチンコ玉の直径と比べて遥かに小さくなるように作られているため、ホース内に入ったパチンコ玉は下方にあるパチンコ玉の貯留タンクその他の部品に直接落下することとなり、落下の衝撃によって障害が生ずるおそれがある。加えて、ホースを例えば水平に配置してパチンコ玉の搬送に使用しようとしても、ホースにはパチンコ玉を移動させる機能がないため、結局、このような使用はできないこととなり、ホースの適用範囲が限られるなどの諸問題があった。
【０００５】
また、近年、遊技島に設置する遊技台数を多くしたいというニーズがあり、従来の自然勾配によるパチンコ玉搬送でなく、ベルトコンベア−あるいは垂直バケットコンベア−を設置する傾向があるが、例えば、ベルトコンベア−の場合、玉揚送のための桟（突起物）が必要であり、この桟があるためにパチンコ玉の排出部分では該桟を通過させるための隙間からパチンコ玉がこぼれるという問題があった。また、垂直バケットコンベア−の場合には、パチンコ玉の落下時に音が発生したり、コンベア−のチェーンに塗ったグリスや錆がパチンコ玉に付着するという問題があった。
【０００６】
この発明は、上記諸問題に鑑み、本発明が解決しようとする課題は、大量のパチンコ玉の搬送に使用でき、かつ、垂直方向でも水平方向でも、あるいは斜め傾斜方向でも自在にパチンコ玉の搬送が可能なようにホースの適用範囲を広げると共に、パチンコ玉が貯留タンクその他の部品に直接落下することによる島設備部品の損傷や騒音等による障害を可及的に少なくするパチンコ玉誘導用ホース及び誘導用ホースの組合せを提供すること、さらに、遊技台数を多くして自然勾配による搬送を超えるような長さの長い島設備において、パチンコ玉の搬送にホースコンベア−として適用できるパチンコ玉誘導用ホースを提供することを目的とするものである。
【０００７】
【課題を解決するための手段】
前述の課題を解決するために発明者は、ホースの内周面に沿ってパチンコ玉を螺旋状に誘導するように構成することにより、全体としてパチンコ玉落下の衝撃を少なくすることができ、またホースの適用範囲を広げることができることを知見した。その詳しい構成については、項を改めて説明する。なお、何れかの請求項の発明の説明において行う用語の定義等は、その性質上可能な範囲において他の請求項における発明にも適用されるものとする。
【０００８】
（請求項１に記載した発明の構成）
請求項１に記載した発明に係るパチンコ玉誘導用ホース（以下、「請求項１の誘導用ホース」という）は、パチンコ玉を第１個所から第２個所へ誘導するためのホースであって、内周面に設けられためねじを備え、このめねじのピッチがパチンコ玉の直径より大きくなるように形成したことを特徴とする。第１個所及び第２個所というのは、２つの個所を形式的に区別するためだけに用いたものである。すなわち、パチンコ玉を第１個所から第２個所へ誘導するのである。誘導用ホースを使用する際、第１個所を第２個所の実質的に鉛直方向又は傾斜方向の上方に配置したり、第１個所と第２個所とを実質的に水平に配置する場合においても第１個所を第２個所より高いレベルにしたり、実質的に同じレベルにしたり、逆に低いレベルにしたりすることができる。パチンコ玉を第１個所から第２個所へ誘導するには、重力による落下、誘導用ホースを回転することによる強制移動などによる。ねじのピッチがパチンコ玉の直径より大きくなるとは、パチンコ玉がねじ溝内に入る大きさを意味する。
【０００９】
（請求項１に記載した発明の作用効果）
請求項１の誘導用ホースによれば、パチンコ玉を第１個所から第２個所へ誘導するとき、パチンコ玉がめねじに入ることができる。そのため、例えば、誘導用ホースを実質的に鉛直状に配置して使用するとき、パチンコ玉は重力によって移動するところ、パチンコ玉の幾分かがめねじに入り、めねじに沿って転動しながら螺旋状に移動することとなる。パチンコ玉のこのような移動によれば、落下の衝撃が実質的に発生しないため、全体として衝撃を緩和することができる。また、例えば、誘導用ホースを緩い傾斜または水平状に配置して使用するとき、めねじの作用によってパチンコ玉を強制移動させることができる。このように、ねじのピッチがパチンコ玉の直径より大きくなるように形成しためねじを誘導用ホースに設けることによって、衝撃の緩和を図ると共に、誘導用ホースによってパチンコ玉を搬送することができることから、誘導用ホースの適用範囲を広げることができる。
【００１０】
（請求項２に記載した発明の構成）
請求項２に記載した発明に係るパチンコ玉誘導用ホース（以下、「請求項２の誘導用ホース」という）は、請求項１の誘導用ホースの構成に限定が加わり、前記誘導用ホースにおいて、前記めねじは、ねじ山が断面先広がりの形状を有することを特徴とする。
【００１１】
（請求項２に記載した発明の作用効果）
請求項２の誘導用ホースによれば、めねじのねじ山を断面先広がりの形状に成すものである。そうすると、パチンコ玉を第１個所から第２個所へ誘導するとき、前記誘導用ホースのめねじに入りこんだパチンコ玉がこのめねじ部分からこぼれようとする場合が生じても、ねじ山が前記断面先広がりの形状に返し構造が形成されているため、この返し構造によりパチンコ玉がねじ山を越えてこぼれることが阻止されるので、確実に所定方向へパチンコ玉を誘導することができる。このように、ねじ山が断面先広がりの形状とするめねじを誘導用ホースに設けることによって、衝撃の緩和を図ると共に、誘導用ホースによってパチンコ玉を確実に所定方向へ搬送することができることから、誘導用ホースの適用範囲を広げることができる。
【００１２】
（請求項３に記載した発明の構成）
請求項１又は２に記載した発明に係るパチンコ玉誘導用ホース（以下、「請求項３の誘導用ホース」という）は、請求項１又は２の誘導用ホースの構成に限定が加わり、前記誘導用ホースは、前記第１個所が前記第２個所の下方に位置するように配置され、かつ、前記誘導用ホースを円周方向に回転するための駆動機構を備え、前記パチンコ玉は前記誘導用ホースの回転によって移動することを特徴とする。
【００１３】
（請求項３に記載した発明の作用効果）
請求項３の誘導用ホースによれば、第１個所が第２個所の下方に位置するように、実質的に鉛直又は傾斜に配置して使用する。そうすると、パチンコ玉は前記誘導用ホースを円周方向に回転するための駆動機構によって第１個所から第２個所へ移動するところ、移動の間に幾分かのパチンコ玉がめねじのねじ溝に入って転動しながら螺旋状に移動する。このようなねじ溝を転動するパチンコ玉による衝撃は生じないため、全体として衝撃を緩和でき、衝撃による島設備部品の凹み、損傷のような障害を可及的に少なくすることができる。
【００１４】
（請求項４に記載した発明の構成）
請求項１ないし３のいずれかに記載した発明に係るパチンコ玉誘導用ホース（以下、「請求項４の誘導用ホース」という）は、請求項１ないし３のいずれかの誘導用ホースの構成に限定が加わり、前記誘導用ホースは、その外周又は端縁において該誘導用ホースを保持するための保持手段に係合されていることを特徴とする。
【００１５】
（請求項４に記載した発明の作用効果）
請求項４の誘導用ホースによれば、誘導用ホースの外周又は端縁に係合するための保持手段を備えているので、例えば前記駆動機構によって誘導用ホースを円周方向に回転させる場合であっても、その外周又は端縁は保持手段により誘導用ホースが支持されて配設位置がずれることがないように係合しているので、パチンコ玉を円滑に確実に所定方向へ搬送することができることから、誘導用ホースの適用範囲を広げることができる。
【００１６】
（請求項５に記載した発明の構成）
請求項１ないし４のいずれかに記載した発明に係るパチンコ玉誘導用ホース（以下、「請求項５の誘導用ホース」という）は、請求項１ないし４のいずれかの誘導用ホースの構成に限定が加わり、前記誘導用ホースは、その外周又は端縁において該誘導用ホースを保持するための保持手段との係合により該誘導用ホースの位置規制がなされる位置規制手段を前記誘導用ホースの外周又は端縁に有することを特徴とする。
【００１７】
（請求項５に記載した発明の作用効果）
請求項５の誘導用ホースによれば、誘導用ホースは、その外周又は端縁において該誘導用ホースを保持するための保持手段との係合により、該誘導用ホースの位置規制がなされる位置規制手段を設けたので、前記駆動機構によって誘導用ホースを円周方向に回転させる場合、例えば誘導用ホースの外周に設けた環状溝に保持手段側に配置したローラ等を係合させて誘導用ホースの位置を所定位置に確実に規制されるので、これにより誘導用ホースの配設位置がその搬送方向にずれて隙間が生じたりすることがなく、パチンコ玉を円滑に確実に所定方向へ搬送することができることから、誘導用ホースの適用範囲を広げることができる。
【００１８】
（請求項６に記載した発明の構成）
請求項１ないし５のいずれかに記載した発明に係るパチンコ玉誘導用ホース（以下、「請求項６の誘導用ホース」という）は、請求項１ないし５のいずれかの誘導用ホースの構成に限定が加わり、前記誘導用ホースは、パチンコ島の島端に配設されることを特徴とする。
【００１９】
（請求項６に記載した発明の作用効果）
請求項６の誘導用ホースによれば、誘導用ホースはパチンコ島の島端に配設されるようにして構成することができるので、例えばパチンコ機の台数を増設するために、パチンコ島の長さを長くしても、自然勾配を利用してパチンコ玉を回収する傾斜路の長さを越える島端の範囲に適用することができ、パチンコ機から排出されるパチンコ玉を確実に所定の揚送機等の方向へ搬送することができるので、誘導用ホースの適用範囲を広げることができる。
【００２０】
（請求項７に記載した発明の構成）
請求項１ないし６のいずれかに記載した発明に係るパチンコ玉誘導用ホース（以下、「請求項７の誘導用ホース」という）は、請求項１ないし６のいずれかの誘導用ホースの構成に限定が加わり、誘導用ホースは、パチンコ島の島端に向かって下降するように配置されたパチンコ玉排出用の補助傾斜路に沿って配設されることを特徴とする。
【００２１】
（請求項７に記載した発明の作用効果）
請求項７の誘導用ホースによれば、誘導用ホースはパチンコ島の島端に向かって下降するように配置されたパチンコ玉排出用の補助傾斜路に沿って配設されるものであり、例えばパチンコ機の台数を増設するために、パチンコ島の長さを長くした場合でも、補助傾斜路によって排出されるパチンコ玉を集めて前記駆動機構を備えた誘導用ホースにより自然勾配で配設される傾斜路へ誘導することができるので、パチンコ機から排出されるパチンコ玉を所定の揚送機等の方向へ確実に搬送することができることから、誘導用ホースの適用範囲を広げることができる。
【００２２】
（請求項８に記載した発明の構成）
請求項８に記載した発明に係るパチンコ玉誘導用ホース（以下、「請求項８の誘導用ホースという」は、請求項１又は２の誘導用ホースの構成に限定が加わり、前記誘導用ホースは、前記第１個所が前記第２個所の上方に位置するように配置され、前記パチンコ玉は重力によって前記第１個所から前記第２個所へ移動することを特徴とする。
【００２３】
（請求項８に記載した発明の作用効果）
請求項８の誘導用ホースは、第１個所が第２個所の上方に位置するように、実質的に鉛直に配置して使用する。そうすると、パチンコ玉は重力によって第１個所から第２個所へ移動するところ、移動の間に幾分かのパチンコ玉がめねじのねじ溝に入って転動しながら螺旋状に移動する。このようなねじ溝を転動するパチンコ玉による衝撃は生じないため、全体として衝撃を緩和でき、衝撃による島設備部品の凹み、損傷のような障害を可及的に少なくすることができる。
【００２４】
（請求項９に記載した発明の構成）
請求項９に記載した発明に係るパチンコ玉誘導用ホース（以下、「請求項９の誘導用ホース」という）は、請求項１又は２の誘導用ホースの構成に限定が加わり、前記誘導用ホースは、前記第１個所が前記第２個所から水平方向へ離れるように配置され、かつ、前記誘導用ホースを円周方向に回転するための駆動機構を備え、前記パチンコ玉は前記誘導用ホースの回転によって移動することを特徴とする。第１個所は、第２個所と同じレベルにあっても良く、第２個所より高いレベルにあっても良く、逆に第２個所より低いレベルにあっても良い。
【００２５】
（請求項９に記載した発明の作用効果）
請求項９の誘導用ホースによれば、この誘導用ホースがめねじと駆動機構を備えることから、パチンコ玉を、水平方向へ離れて配置された第１個所から第２個所へ搬送することができる。逆に、駆動機構が逆転可能であれば、パチンコ玉を第２個所から第１個所へ搬送することができる。そして、請求項９の誘導用ホースは水平状態の他、傾斜状態に配置して使用することも可能であるため、例えば、パチンコ島相互間のパチンコ玉の移動を誘導用ホースの傾斜とは関係なく行うことができる。従来、パチンコ島相互間のパチンコ玉の移動は、傾斜路を利用した転動によるものであったため、傾斜路の傾斜の向きによってパチンコ玉の移動方向が自ずと定まってしまい、パチンコ島相互間の、パチンコ玉の移動を考慮した配置の自由度が少なかったが、請求項９の誘導用ホースによれば、このような不都合を解消することができる。
【００２６】
（請求項１０に記載した発明の構成）
請求項１０に記載した発明に係るパチンコ玉誘導用ホースの組合せ（以下、「請求項１０の誘導用ホースの組合せ」という）は、隣り合って配置される２つの誘導用ホースと、これら２つの誘導用ホースそれぞれの内周面に設けられためねじと、前記２つの誘導用ホースそれぞれの、少なくとも隣り合って位置する端部の外周面に設けられたおねじと、これらおねじをねじ込み可能なカップリングと、を備え、前記めねじのピッチがパチンコ玉の直径より大きくなるように形成したことを特徴とする。２つの誘導用ホースそれぞれのめねじは、同じピッチとなるように形成する他、異なるピッチとなるように形成することができる。後者の場合、例えば、誘導用ホースの組合せを水平又は緩い傾斜状に配置し、パチンコ玉を強制移動させようとするとき、パチンコ玉の移動の上流側にピッチの小さな誘導用ホースを配置し、移動の下流側にピッチの大きな誘導用ホースを配置する。そうすると、下流側の誘導用ホースによるパチンコ玉の移動が上流側の誘導用ホースによるパチンコ玉の移動より速くなる。換言すると、１回転当たりの移動量が異なることとなり、誘導用ホースの組合せの出口におけるパチンコ玉の排出量を調整することができる。誘導用ホースの外周面のおねじは、外周面の全体に渡るように設けることもできる。このようにすれば、誘導用ホースの強度を高めることができる。しかし、カップリングによって２つの誘導用ホースを結合するためには、カップリングにねじ込まれる誘導用ホースの端部におねじを設けるだけでよい。
【００２７】
（請求項１０に記載した発明の作用効果）
請求項１０の誘導用ホースの組合せによれば、隣り合って配置される２つの誘導用ホースを、カップリングを介して接続するため、接着剤による結合などと比べて容易に接続することができる。また、カップリングが２つの誘導用ホースの端部を覆うため、強度の高い接続部を得ることができる。誘導用ホースの組合せは、実質的に鉛直に配置してパチンコ玉を重力移動したり、緩い傾斜又は水平状に配置してパチンコ玉を強制移動したりする形態で使用することができる。
【００２８】
（請求項１１に記載した発明の構成）
請求項１１に係るパチンコ玉誘導用ホース（以下、「請求項１１の誘導用ホース」という）は、請求項１ないし１０のいずれかの誘導用ホースの構成に限定が加わり、前記誘導用ホースは硬質樹脂製の心材と、この心材を覆った軟質樹脂製の被覆と、からなることを特徴とする。心材は、例えば、硬質の塩化ビニルやポリエチレンその他の硬質樹脂によって、また被覆は、例えば、軟質の塩化ビニルやポリエチレンその他の軟質樹脂によって作るところ、誘導用ホースは、例えば、硬質樹脂と軟質樹脂を押出し成形して製作することができる。
【００２９】
（請求項１１に記載した発明の作用効果）
請求項１１の誘導用ホースによれば、心材に硬質樹脂を使用しているため、誘導用ホースの形状を永続的に保持することができる。加えて、軟質樹脂の被覆によって心材を覆っているため、パチンコ玉が直接心材と接触することによる異音の発生を防ぐことができる。
【００３０】
【発明の実施の形態】
次に、各図を参照しながら、本発明の実施の形態（以下、「本実施形態」という）について説明する。図１は、内部にパチンコ玉誘導用ホースを備えるパチンコ島の正面図である。図２は、パチンコ玉誘導用ホースと、パチンコ島において遊技済みのパチンコ玉等が集まる導入部分とを示す斜視図である。図３は、パチンコ玉誘導用ホースの詳細を示す断面図である。図４は、図３に示したパチンコ玉誘導用ホースの作用を示す斜視図である。図５は、パチンコ玉誘導用ホースの別の実施形態を示す、一部を断面とした斜視図である。図６は、パチンコ玉誘導用ホースの組合せを示す断面図である。図７は、パチンコ玉誘導用ホースを製作する工程を示す概略図である。
【００３１】
（パチンコ島の構造）
図１を参照すると、パチンコ島１は、複数のパチンコ遊技機３，３・・が集合してなる。各パチンコ遊技機３，３・・から排出された遊技済みのパチンコ玉は、パチンコ玉研磨を兼ねた揚送装置５によって揚送され、補給玉として補給樋７を経て各パチンコ遊技機３，３・・に補給される。揚送装置５によって持ち上げられる、つまり揚送されるパチンコ玉には、既に研磨され、貯留タンク１５，１９内に貯留されていた補給玉も含まれる。揚送されたパチンコ玉が補給数量を上回った場合の余剰補給玉は、上部タンク９に送られてここに貯留される。上部タンク９からオーバフローしたパチンコ玉は、パチンコ玉誘導用ホース１１を経て落下し、分配樋１３によって、パチンコ島１内に設けられた貯留タンク１５，１９にそれぞれ貯留される。第１の傾斜路２１及び第２の傾斜路２３が各パチンコ遊技機３，３・・から排出された遊技済みのパチンコ玉を合流ボックス２５に向けて自然勾配を転動下降させるべく配置されている。
【００３２】
図１及び図２に示した実施形態では、第１の傾斜路２１は、右から左へ向けて下向き傾斜しており、第２の傾斜路２３は、左から右へ向けて下向き傾斜している。第１の傾斜路２１と第２の傾斜路２３とが合流する域に配置した合流ボックス２５は、各傾斜路２１，２３を転動下降したパチンコ玉を合流させ、合流ボックス２５に設けた出口を経て導入傾斜路２７にパチンコ玉を排出する。導入傾斜路２７は、揚送装置５の下端部に配置した集合所２９にパチンコ玉を導く。集合所２９に集まったパチンコ玉は、揚送装置５の揚送ベルトとこの揚送ベルトに対向配置した、研磨材を有するガイドとの間に導かれ、揚送ベルトによって揚送される間に研磨材によって研磨される。揚送装置５の前記構造は公知である。
【００３３】
図１及び図２に示した実施形態では、補助の揚送装置１７を貯留タンク１５，１９間に配置してある。補助の揚送装置１７は、揚送装置５から補給樋７に供給される補給玉が不足したとき、貯留タンク１５，１９内に貯留されているパチンコ玉を第１の傾斜路２１又は第２の傾斜路２３に揚送し、合流ボックス２５を経て集合所２９に導く。また、パチンコ島１には揚送装置５をはさんで左右に貯留タンク１５，１９をそれぞれ２台ずつ配置してある。例えば、必要なパチンコ玉数を１台の貯留タンクで十分に確保できる場合、又はパチンコ島１に設置するパチンコ遊技機３，３・・の台数が比較的少ない場合には左右いずれかの２台の貯留タンクを省略したり、左右１台ずつの貯留タンクとしたりすることができる。２台の貯留タンク１５，１９を省略する場合、これら貯留タンク間の補助の揚送装置１７もまた省略することができる。また、合流ボックス２５は、図１及び図２に示すように導入傾斜路２７の右側に配置する他、導入傾斜路２７の左側に配置することもできる。
【００３４】
（パチンコ玉誘導用ホースの構造）
パチンコ玉誘導用ホース１１は、図２に示すように、上部タンク９から分配樋１３に至る間に配置する。実際には、パチンコ玉誘導用ホース１１の下端部に、直方体状の箱型をした分配シュート３１を配置し、パチンコ玉誘導用ホース１１を通って落下したパチンコ玉を一旦分配シュート３１で受け止め、分配シュート３１の出口から分配樋１３へ転動させるようにすることが好ましい。このようにすれば、パチンコ玉誘導用ホース１１を通って落下したパチンコ玉が飛散するのを防ぐと共に、パチンコ玉を分配樋１３に確実に導くことができる。パチンコ玉誘導用ホース１１は、図２の実施形態では、上部タンク９から２条垂下しているが、これは１条とすることもでき、３条以上とすることもできる。
【００３５】
パチンコ玉誘導用ホース１１は、図３に示すように、内周面に設けられためねじ３３を備える。めねじ３３は、ピッチＰがパチンコ玉ＰＢの直径より大きくなるように形成されており、ねじ溝３５内にパチンコ玉ＰＢが入ることができる。図３の実施形態では、パチンコ玉誘導用ホース１１は、実質的に鉛直に配置され、上方の第１個所である上部タンク９から、下方の第２個所である分配シュート３１（図２参照）へ重力によって移動する。
【００３６】
（パチンコ玉誘導用ホースの作用）
パチンコ玉ＰＢが重力によって落下移動するとき、図３及び図４に示すように、パチンコ玉ＰＢの一部はめねじ３３のねじ溝３５内に入り、ねじ溝３５を転動しながら下降し、パチンコ玉ＰＢの残部は、図４の矢印Ａのように直接落下する。その結果、ねじ溝３５を転動しながら下降するパチンコ玉ＰＢが下方にある分配シュート３１に落ちるとき、落下距離を小さくすることができることから、衝撃を緩和することができる。また、直接落下するパチンコ玉ＰＢとねじ溝３５内を転動するパチンコ玉ＰＢとの干渉が生じ、直接落下するパチンコ玉ＰＢが持つ運動エネルギーを消費することが期待できる。これによって、全体の衝撃を緩和することとなる。
【００３７】
（パチンコ玉誘導用ホースの別の構造）
図５に示したパチンコ玉誘導用ホース４１は、内周面にめねじ４３を有する点、めねじ４３のピッチＰがパチンコ玉ＰＢの直径より大きく形成され、パチンコ玉ＰＢがねじ溝４５内に入ることができる点で前述のパチンコ玉誘導用ホース１１と同じ構造であるが、パチンコ玉誘導用ホース４１がパチンコ玉ＰＢを強制移動させることができる点で異なる。すなわち、パチンコ玉誘導用ホース４１は、図示しない軸受によって円周方向に回転可能に支持されて実質的に水平に配置され、パチンコ玉ＰＢを移動させるための駆動機構４７を備えている。駆動機構４７は、電動機４９と、電動機４９の駆動軸に取り付けたプーリ５０と、パチンコ玉誘導用ホース４１に取り付けたプーリ５１と、２つのプーリ５０，５１間に張り渡したベルト５３と、を備える。
【００３８】
（パチンコ玉誘導用ホース４１の作用）
パチンコ玉誘導用ホース４１は、例えば図２に示すように、パチンコ島間に配置し、一方の端部で上部タンク９に円周方向に回転可能に接続して使用することができる。電動機４９によってパチンコ玉誘導用ホース４１を時計方向Ｂへ回転させると、右側の第１個所にある投入シュート５５から投入されたパチンコ玉ＰＢは、ねじ溝４５に対して転動しながら、ねじ溝４５内を矢印Ｃに向けて移動する。電動機４９が正逆回転可能である場合、パチンコ玉誘導用ホース４１を反時計方向へ回転させると、パチンコ玉ＰＢは矢印Ｃとは反対の向きに移動する。
【００３９】
（パチンコ玉誘導用ホースの組合せの構造）
パチンコ玉誘導用ホース１１は、図６に示すように、これを変形してパチンコ玉誘導用ホース６１，６１Ａとし、このような２つのパチンコ玉誘導用ホース６１，６１Ａを隣り合わせに配置する場合、誘導用ホースの組合せを構成することができる。この組合せは、図６に示すように、２つの誘導用ホース６１，６１Ａそれぞれの内周面に設けられためねじ６３，６３Ａと、２つの誘導用ホース６１，６１Ａそれぞれの少なくとも隣り合って位置する端部の外周面に設けられたおねじ６５，６５Ａと、これらおねじ６５，６５Ａをねじ込み可能なカップリング６７と、を備える。そして、めねじ６３，６３ＡのピッチＰ１，Ｐ２がパチンコ玉ＰＢの直径より大きくなるように形成され、パチンコ玉ＰＢはねじ溝６９，６９Ａに入ることができる。
【００４０】
図６の実施形態では、おねじ６５，６５Ａは各パチンコ玉誘導用ホース６１，６１Ａの全長に渡って設けられており、２つのパチンコ玉誘導用ホース６１，６１Ａにおけるねじの向きは同じである。さらに、２つのパチンコ玉誘導用ホース６１，６１Ａのめねじ６３，６３ＡのピッチＰ１，Ｐ２は同じ大きさであり、左側に位置するパチンコ玉誘導用ホース６１のおねじ６５のピッチＰ３は、めねじ６３のピッチＰ１の２分の１である。また、右側に位置するパチンコ玉誘導用ホース６１Ａのおねじ６５ＡのピッチＰ４は、めねじ６３ＡのピッチＰ２の２分の１である。したがって、２つのパチンコ玉誘導用ホース６１，６１Ａは同じ構造である。一方、カップリング６７は各パチンコ玉誘導用ホース６１，６１Ａのおねじ６５，６５Ａとかみ合うめねじ６８，６８Ａを有する。カップリング６７は、塩化ビニル又はポリエチレンのような硬質樹脂を成形して作ることができる。
【００４１】
（パチンコ玉誘導用ホースの組合せの作用）
隣り合って配置される２つのパチンコ玉誘導用ホース６１は、次のように結合して組合せを構成する。すなわち、例えば、左側のパチンコ玉誘導用ホース６１のおねじ６５をカップリング６７の左方からめねじ６８にねじ込み、左側のパチンコ玉誘導用ホース６１とカップリング６７を結合する。その後、右側のパチンコ玉誘導用ホース６１Ａのおねじ６５Ａをカップリング６７の右方からめねじ６８Ａにねじ込み，右側のパチンコ玉誘導用ホース６１Ａとカップリング６７を結合する。これで組合せができあがる。パチンコ玉誘導用ホース６１，６１Ａの組合せは，その全体を実質的に鉛直に配置して使用する他、駆動装置を取り付け、水平又は傾斜状に配置して使用する。
【００４２】
図示の実施形態のように、パチンコ玉誘導用ホース６１，６１Ａのおねじ６５，６５ＡのピッチＰ３，Ｐ４をめねじ６３，６３ＡのピッチＰ１，Ｐ２の半分とした結果、パチンコ玉誘導用ホース６１，６１Ａとカップリング６７との十分なねじ込み長さを確保すると共に、めねじ６３，６３Ａのピッチをパチンコ玉ＰＢの直径より大きくしてパチンコ玉ＰＢをねじ溝６９，６９Ａに入れることができる。すなわち、カップリング６７の長さを可及的に短くする一方で、パチンコ玉ＰＢが入るねじ溝６９，６９Ａを確保することができる。
【００４３】
（パチンコ島における傾斜ホースコンベヤの配設構造）
パチンコ島１は、図１に示すように複数のパチンコ遊技機３，３・・の集合からなるものであるが、近年、パチンコ島１に設置するパチンコ遊技機の台数を多くしたいという需要が高まってきているため、パチンコ島１に設置するパチンコ遊技機３，３・・の台数を増設しなければならない必要が生じている。しかし、従来のような自然勾配によるパチンコ玉の搬送だけに頼る構造では、パチンコ遊技機３，３・・の増設で島の長さが長くなると、その分だけ勾配が緩くなり、遊技済みのパチンコ玉が転動落下し難くなるので、このような需要には応えることができない。
【００４４】
そのため、図８に示す実施形態では、自然勾配による搬送の限界を超える部分のパチンコ遊技機３，３から排出される遊技済みのパチンコ玉は、島端へと向かう別の補助傾斜路２２を流下させるようにし、この島端に排出されて集められた遊技済みのパチンコ玉を前記合流ボックス２５へと向けて搬送するための手段として、本発明では、図８に示すように、パチンコ玉誘導用ホース９１を用いて補助的に傾斜ホースコンベヤ９０を創設する実施形態を発案したものである。したがって、この傾斜ホースコンベヤ９０を配設した図８のパチンコ島１では、図１に示したパチンコ島１よりも、その左側及び右側においてパチンコ遊技機３，３を増設した分だけ、パチンコ島１の長さが長くなっている。本実施形態では、この構成によりパチンコ遊技機の台数増設の要求に応えることができるようにしたものである。
【００４５】
図８に基づいて、パチンコ島１の構造を説明する。図においては、パチンコ島１の左半分だけを図示しており、パチンコ島１の右半分も同様の対称構造とされているものである。上部タンク９からオーバフローしたパチンコ玉については、前記パチンコ玉誘導用ホース１１を経て落下し、自然勾配によりパチンコ玉を搬送する分配樋１３を流下して、パチンコ島１内に設けられた貯留タンク１５，１９にそれぞれ貯留されるようにした構成は前述の図１と同じ構造である。
【００４６】
図８において、パチンコ島１に増設された左端から４台目までのパチンコ遊技機３，３からの遊技済みのパチンコ玉は、島端側に向かって補助傾斜路２２を流下させられて、島端に集められた後、補助的に設置された傾斜ホースコンベヤ９０により前記第２の傾斜路２３の上端部へと搬送され、そこから後は、自然勾配により転動するように配置された第２の傾斜路２３を流下するように接続されるものである。
【００４７】
（傾斜ホースコンベヤの構造）
図９及び１０に示すように、傾斜ホースコンベヤ９０は、駆動機構２８により回転可能なように傾斜架台１４の上に載置されるパチンコ玉誘導用ホース９１と、該パチンコ玉誘導用ホース９１の下方側に隣接配置されたパチンコ玉投入部３０と、該パチンコ玉誘導用ホース９１の上方側に隣接配置されたパチンコ玉排出部３２とから構成される。
【００４８】
パチンコ玉誘導用ホース９１は、一端を架台支柱１２で支えられた傾斜架台１４上に設けられた回転支持ローラ装置２０により回転可能に支持されている。該回転支持ローラ装置２０は、１本の軸に複数のローラ２０´を等間隔に配設した２条のローラ軸２０ａ，２０ｂを取付金具１８，１８で支承した構造を備えて成り、平行配置したこの２条のローラ軸２０ａ，２０ｂ上に前記パチンコ玉誘導用ホース９１を載置し、該パチンコ玉誘導用ホース９１をローラ軸２０ａ，２０ｂにより回転可能に下方側から支持している。
【００４９】
また、回転支持ローラ装置２０の一方又は両方の側部には、傾斜架台１４に一端が固着された断面コ字形又はＬ字形の固定枠１６が設けられており，該固定枠１６の上部に単数又は複数の押えローラ２４が取付金具１８により取り付けられており、この押えローラ２４は前記２条のローラ軸２０ａ，２０ｂのローラ２０´，２０´上で回転可能に載置されたパチンコ玉誘導用ホース９１を上方から回転可能に支持するように構成されているものである。
【００５０】
パチンコ玉誘導用ホース９１は、回転支持ローラ装置２０のローラ２０´，２０´及び押えローラ２４により軸方向移動が規制されるように回転可能に保持されている。このパチンコ玉誘導用ホース９１の軸方向移動の規制は、該パチンコ玉誘導用ホース９１の外周の少なくとも１箇所に形成された環状溝９２又はフランジ９９，９９間で形成される溝９２´（図１１参照）に対して，前記ローラ２０´，２０´又は押えローラ２４のうちの少なくとも１つが係合することにより、規制されるように設けられている。なお、この軸方向移動の規制は、図示しないが、パチンコ玉誘導用ホース９１の上端及び下端において、その端縁を前記パチンコ玉投入部３０及びパチンコ玉排出部３２に別設したローラ等を当接して、パチンコ玉誘導用ホース９１の上端及び下端を支持させる構造により、軸方向移動の規制をなさせるようにしてもよい。この場合、パチンコ玉誘導用ホース９１の端面と前記パチンコ玉投入部３０及びパチンコ玉排出部３２との間の隙間は，パチンコ玉が挟まったり，脱落したりしない寸法で形成する必要がある。前記駆動機構２８は、前記ローラ軸２０ａ，２０ｂのうちの少なくとも１つに、例えば電動機に接続されて回転駆動力を伝達するように構成されている。ローラ軸２０ａ，２０ｂは傾斜架台１４に、押えローラ２４は固定枠１６にそれぞれ取付金具１８により回転可能に固着されている。
【００５１】
傾斜ホースコンベヤ９０の前記パチンコ玉投入部３０は、図８に示した補助傾斜路２２により島端に集められた遊技済みのパチンコ玉を投入するように設けられたものであり，断面コ字形に形成された樋状の貯留容器を構成し，パチンコ玉誘導用ホース９１の投入口部に向かって下方傾斜状に配設されると共に断面が幅狭に絞られた構造に形成されているものである。
【００５２】
パチンコ玉誘導用ホース９１の他方のパチンコ玉排出部３２は、断面コ字形の樋状に形成された構造のものであり、傾斜ホースコンベヤ９０により下方から上方へ搬送された遊技済みのパチンコ玉を前記第２の傾斜路２３の上端部に落下させ、該第２の傾斜路２３から自然勾配により流下させるように接続しているものである。
【００５３】
（傾斜ホースコンベヤ用のパチンコ玉誘導用ホースの構造）
傾斜ホースコンベヤ９０に使用するパチンコ玉誘導用ホースは、前記パチンコ玉誘導用ホース９１に限られるものでなく、図３ないし図５に示したパチンコ玉誘導用のパチンコ玉誘導用ホース１１，４１，６１，６１Ａを基本的に使用するものである。この場合、傾斜ホースコンベヤ９０に使用するには、前記パチンコ玉誘導用ホース１１，４１，６１，６１Ａの外周の少なくとも１箇所に、図１１に示すような環状溝９２を形成したもの、又はパチンコ玉誘導用ホース１１，４１，６１，６１Ａの外周にフランジ９９，９９を設け、そのフランジ９９，９９間で溝９２´を形成するものであることが必要である。
【００５４】
（パチンコ玉誘導用ホースのねじ部の構造）
上述のパチンコ玉誘導用ホースのねじ溝は、図３ないし図６に示すように、湾曲面形状のねじ溝６９，６９Ａに形成したものと同様のものである。したがって、めねじ９３の形状は、前記めねじ３３，４３，６３，６３Ａの形状と同様、図示のようなやま形の形状に形成したものである。パチンコ玉の水平方向の搬送には、めねじ９３の形状はやま形のものでも搬送能力に特別な支障は生じないが、パチンコ玉誘導用ホースを傾斜状に配置してパチンコ玉を下方から上方に向かって揚送する場合は、パチンコ玉がねじ溝から駆け上り、該めねじ９３の形状では前記めねじ３３，４３，６３，６３Ａの場合と同様に、ねじ山を飛び越えて落下してしまう恐れがある。
【００５５】
（パチンコ玉誘導用ホースの改良構造）
上記傾斜ホースコンベヤ用に適したパチンコ玉誘導用ホースとして、さらに改良した前記パチンコ玉誘導用ホース９１の細部の構造について説明する。図１２に示すように、このパチンコ玉誘導用ホース９１の構造と前記パチンコ玉誘導用ホース１１，４１，６１，６１Ａの構造との相違点は、めねじ９３´の形状が前述のめねじ３３，４３，６３，６３Ａ，９３の形状と異なる点である。
【００５６】
パチンコ玉誘導用ホース９１のめねじ９３´は、前記めねじ３３，４３，６３，６３Ａ，９３のように、ねじ山の頂部が断面先細りとなる形状とは異なり、ねじ山の頂部が断面先広がりの形状としたものである。このように、ねじ山の形状を頂部が断面先広がりの形状としたのは、傾斜ホースコンベヤに使用する場合，大量のパチンコ玉を搬送しようとすると、傾斜配置されたパチンコ玉誘導用ホース９１の回転駆動により、前記したようにパチンコ玉がねじ溝９５からすくい面９６を駆け上ってねじ山を越えようとする運動が発生するので、めねじ９３´の頂部が先細りねじ山ではパチンコ玉がねじ山を越えてこぼれ落ちてしまい易くなる恐れがある。
【００５７】
そのため、このようなパチンコ玉のこぼれ落ちをなくすために，ねじ山の頂部を断面先広がりの形状としたものである。この断面先広がりの形状により、パチンコ玉がねじ溝９５からすくい面９６を駆け上ってねじ山を越えようとする運動が発生しても，先広がりのねじ山頂部の形状が返し構造を形成することになるので、パチンコ玉をねじ溝方向へ返す作用が発生するものであり、そのため、パチンコ玉のこぼれ落ちを防止することができるものである。
【００５８】
このパチンコ玉誘導用ホース９１のめねじ９３´の具体的な形状は、図１２に示すように、ねじ山にエッジ９４を形成したものである。このねじ山頂部に形成されるエッジ９４は、図に示すように、ねじ山の斜面９８の上部から頂部にかけて断面先広がり形状となるように突出面９７が形成されて構成されるものである。なお、図１２においては、突出面９７の先端は面取りが形成されている。
【００５９】
図示の実施形態では、ねじ山にエッジ９４を形成したことにより、パチンコ玉がねじ溝９５から駆け上ってめねじ９３´の頂部を越えようとしても、断面先広がり形状としたエッジ９４の返し構造に阻止されて、こぼれ落ちることなく、ねじ溝９５内に保持されものである。
【００６０】
なお、エッジ９４の形状は、図示の形状ではねじ山に対して非線対称な形状、つまりパチンコ玉の搬送面となるすくい面９６側のみにエッジ９４を設けたものについて説明したが、図示の形状に限定されることなく、ねじ山に対して線対称な形状にエッジ９４を形成してもよい。
【００６１】
したがって、図８ないし図１１においては、傾斜ホースコンベヤ９０として、パチンコ玉の搬送面となるすくい面９６側のみにエッジ９４を設けたパチンコ玉誘導用ホース９１について、傾斜配置した構造の実施形態について説明したが、これを垂直配置した場合の実施形態においてパチンコ玉誘導用ホース９１を用いたものでも同様である。このようなすくい面を有するエッジ部を備えるパチンコ玉誘導用ホースは、パチンコ玉の搬送方向又は誘導方向が一定の方向に設定されたものでは、非線対称な形状のエッジ部を有するもので差し支えないものである。
【００６２】
パチンコ玉の搬送方向又は誘導方向が一定のものではなく、可逆的なもの、例えば水平配置等によりパチンコ玉を搬送又は誘導するパチンコ玉誘導用ホースに使用する場合は、線対称な形状のエッジ部を有するパチンコ玉誘導用ホースのものを使用するのがよい。
【００６３】
また、ねじ山頂部のエッジ９４の形状自体についても、同等の作用をもたらす断面先広がり形状のものであれば、例えば曲面的な曲線形状、直線的形状或いはこれらの複合的形状など、どのような形状のものでもよいものである。
【００６４】
上記パチンコ玉誘導用ホース９１のめねじ９３´は、筒状のホース本体と共に射出成形等で一体的に形成されるものでもよいが、本体とは別に、エッジ９４を有するめねじ９３´の歯条部のみを別体に形成し、ホース本体へ接着剤等により後で接着して構成するものでもよい。
【００６５】
（パチンコ玉誘導用ホースの製造方法）
図７（ｂ）に示すような抜き形状７１ａを有する形状金型７１を、図７（ａ）に示すように、軟質材押出し成形機７３と硬質材押出し成形機７５の出口側に配置する。硬質材押出し成形機７５から心材７５ａ，７５ｂを押し出すと共に、軟質材押出し成形機７３から被覆７３ａを押し出す。そうすると、形状金型７１の出口には形状金型７１に設けた抜き形状７１ａと同じ形状を呈する製品７７が押し出されてくる。この製品７７を巻取りスピンドル７９で巻き取りながら、一定の速度で巻取りスピンドル７９を矢印７９ａに向けて移動させ、さらに製品７７の側面７７ａを溶着する。最後に冷却機８１で冷却すると、連続したパチンコ玉誘導用ホース８３が得られる。これを適当長さに切断して使用する。
【００６６】
本発明の実施形態は、上記の実施形態に限定されるものでなく、次のように変更してもよい。
【変更例１】請求項２のパチンコ玉誘導用ホースにおいて、前記断面先広がりのねじ山は、その頂部に先広がりエッジを有するパチンコ玉誘導用ホース。
（作用）　この構成によれば、パチンコ玉誘導用ホースのねじ山を先広がりエッジに形成することにより、該先広がりエッジの返し構造でパチンコ玉を搬送するする際にねじ山を越えてパチンコ玉がこぼれるのを確実に阻止することができる。
【変更例２】請求項５において、パチンコ玉誘導用ホースの保持手段は、該誘導用ホースに係合するローラ等の回動体を有するパチンコ玉誘導用ホース。
（作用）　この構成によれば、パチンコ玉誘導用ホースの支持と回転がローラ等の回動体によりなされるので、円滑に誘導用ホースを回転することができ、パチンコ玉の誘導が滑らかで、搬送時の騒音も少なくすることができる。
【変更例３】請求項３及び４において、パチンコ玉誘導用ホースの前記駆動機構及び前記保持手段は、傾斜架台上に載置されてなるパチンコ玉誘導用ホース。
（作用）　この構成によれば、該パチンコ玉誘導用ホースを傾斜配置してパチンコ玉の傾斜ホースコンベヤを構成する場合、このパチンコ玉誘導用ホースを支持、駆動するための駆動機構及び保持手段を傾斜架台上に堅固に載置することができるので、パチンコ玉の搬送を円滑に行なうことができる。
【変更例４】請求項５において、前記誘導用ホースの位置規制手段は、誘導用ホースの外周に形成した環状溝（凹溝を含む）からなるパチンコ玉誘導用ホース。
（作用）　この構成によれば、誘導用ホースの位置規制手段を該誘導用ホースの外周に形成するので、位置規制手段自体を、例えば、該環状溝にローラ等を嵌め込むような簡単な構造とすることができ、メンテナンスも容易で手間を掛けないで済む。
【変更例５】前記誘導用ホースの外周に形成した環状溝は、誘導用ホースの外周に設けた複数のカラー、フランジ等の環状体によって形成されるパチンコ玉誘導用ホース。
（作用）　この構成によれば、誘導用ホースの外周に形成する環状溝を少なくとも二枚のカラー、フランジ等の環状体によって簡単に形成できるので、構造も簡単であり、メンテナンスが容易であり、手間も掛けないで済む。
【００６７】
【発明の効果】この発明は、次のような効果を奏するものである。
１．この発明のパチンコ玉誘導用ホース及び誘導用ホースの組合せによれば、パチンコ玉の誘導及び搬送の際、パチンコ玉をホースの中を通過させつつ移動させるので、パチンコ玉が貯留タンクその他の部品に直接落下することによる障害を可及的に少なくできる上、パチンコ玉の誘導中及び搬送中に発生する衝撃の緩和を図ると共にパチンコ玉誘導用ホースの適用範囲を広げることができる。
２．この発明のパチンコ玉誘導用ホースによれば、ねじのピッチをパチンコ玉の直径より大きく形成しためねじを誘導用ホースに設けることによって、パチンコ玉を第１個所から第２個所へ誘導するとき、鉛直配置で使用する場合は、パチンコ玉幾分かが誘導用ホースのめねじに入り、めねじに沿って転動しながら螺旋状に移動するので、パチンコ玉の落下の衝撃が実質的に発生しないため、全体として衝撃を緩和することができる。また、この誘導用ホースを傾斜配置又は水平配置で使用する場合は、誘導用ホースのめねじの作用によって衝撃の緩和を図ると共に、パチンコ玉を強制移動させつつ所定位置まで搬送することができるので、ホースコンベヤとしての使用を可能とするなど、パチンコ玉誘導用ホースの適用範囲を広げることができる。
３．この発明の誘導用ホースの組合せによれば、隣り合って配置される２つの誘導用ホースを、カップリングを介して接続するため、接着剤による結合などと比べて容易に接続することができる。また、カップリングが２つの誘導用ホースの端部を覆うため、強度の高い接続部を得ることができる。誘導用ホースの組合せは、実質的に鉛直に配置してパチンコ玉を重力移動したり、緩い傾斜又は水平状に配置してパチンコ玉を強制移動したりする形態でホースコンベヤとして使用することができる。
【図面の簡単な説明】
【図１】内部にパチンコ玉誘導用ホースを備えるパチンコ島の正面図である。
【図２】パチンコ玉誘導用ホースと、パチンコ島において遊技済みのパチンコ玉等が集まる導入部分とを示す斜視図である。
【図３】パチンコ玉誘導用ホースの詳細を示す、軸線を含む面で切断した断面図である。
【図４】図３に示したパチンコ玉誘導用ホースの作用を示す斜視図である。
【図５】パチンコ玉誘導用ホースの別の実施形態を示す、一部を断面とした斜視図である。
【図６】パチンコ玉誘導用ホースの組合せを示す、軸線を含む面で切断し、水平に配置した断面図である。
【図７】パチンコ玉誘導用ホースを製作する工程を示すもので、（ａ）は工程の概略図、（ｂ）は形状金型の正面図である。
【図８】パチンコ島の島端に傾斜ホースコンベヤを配設した正面図である。
【図９】傾斜ホースコンベヤの構造を示す正面図である。
【図１０】傾斜ホースコンベヤの誘導用ホース保持部の断面図である。
【図１１】傾斜ホースコンベヤに使用する誘導用ホースの詳細を示す、軸線を含む面で切断した断面図である。
【図１２】傾斜ホースコンベヤに適用した誘導用ホースのめねじを示す断面図である。
【符号の説明】
１　　　　　　　　　　　　パチンコ島
３　　　　　　　　　　　　パチンコ遊技機
５　　　　　　　　　　　　揚送装置
７　　　　　　　　　　　　補給樋
９　　　　　　　　　　　　上部タンク
１１，４１，６１，６１Ａ，９１　パチンコ玉誘導用ホース
１３　　　　　　　　　　　分配樋
１４　　　　　　　　　　　傾斜架台
１５，１９　　　　　　　　貯留タンク
１６　　　　　　　　　　　固定枠
１７　　　　　　　　　　　補助揚送装置
１８　　　　　　　　　　　取付金具
２０　　　　　　　　　　　回転支持ローラ装置
２０´　　　　　　　　　　ローラ
２１　　　　　　　　　　　第１の傾斜路
２３　　　　　　　　　　　第２の傾斜路
２５　　　　　　　　　　　合流ボックス
２７　　　　　　　　　　　導入傾斜路
２８　　　　　　　　　　　駆動機構
２９　　　　　　　　　　　集合所
３０　　　　　　　　　　　パチンコ玉投入部
３１　　　　　　　　　　　分配シュート
３２　　　　　　　　　　　パチンコ玉排出部
３３，４３，６３，６３Ａ，９３，９３´　めねじ
３５，４５，６９，６９Ａ，９５　ねじ溝
４７　　　　　　　　　　　駆動機構
４９　　　　　　　　　　　電動機
５０，５１　　　　　　　　プーリ
５３　　　　　　　　　　　ベルト
５５　　　　　　　　　　　投入シュート
６５，６５Ａ　　　　　　　おねじ
６７　　　　　　　　　　　カップリング
６８，６８Ａ　　　　　　　めねじ
７１　　　　　　　　　　　形状金型
７１ａ　　　　　　　　　　抜き形状
７３　　　　　　　　　　　軟質材押出し成形機
７３ａ　　　　　　　　　　被覆
７５　　　　　　　　　　　硬質材押出し成形機
７５ａ，７５ｂ　　　　　　心材
７７　　　　　　　　　　　製品
７７ａ　　　　　　　　　　側面
７９　　　　　　　　　　　巻取りスピンドル
８１　　　　　　　　　　　冷却機
８３　　　　　　　　　　　連続したパチンコ玉誘導用ホース
９０　　　　　　　　　　　傾斜ホースコンベヤ
９２　　　　　　　　　　　環状溝
９４　　　　　　　　　　　エッジ
９７　　　　　　　　　　　突出面
９８　　　　　　　　　　　ねじ山の斜面
９９　　　　　　　　　　　フランジ
【図１】
2004141609.tif 000003
【図２】
2004141609.tif 000004
【図３】
2004141609.tif 000005
【図４】
2004141609.tif 000006
【図５】
2004141609.tif 000007
【図６】
2004141609.tif 000008
【図７】
2004141609.tif 000009
【図８】
2004141609.tif 000010
【図９】
2004141609.tif 000011
【図１０】
2004141609.tif 000012
【図１１】
2004141609.tif 000013
【図１２】
2004141609.tif 000014